(57)【要約】【課題】ユーザが、文書に含まれるページのうちの、ユーザにとって重要な情報を含むページを容易に閲覧することが可能な文書検索装置を提供すること。【解決手段】文書検索装置１００は、各々が複数のページを含む、複数の文書の中から、所定の検索条件を満足する文書を抽出する文書抽出部１０１と、上記抽出された文書のそれぞれに対して、当該文書に含まれるページのうちの、所定の重要条件を満足するページを重要ページとして特定する重要ページ特定部１０２と、上記特定された重要ページを識別するためのページ識別情報と、当該重要ページを含む上記文書を識別するための文書識別情報と、を含む重要ページ特定情報を出力する重要ページ特定情報出力部１０３と、を備える。【選択図】図７
2012141905.tif 000002
【特許請求の範囲】
【請求項１】
各々が複数のページを含む、複数の文書の中から、所定の検索条件を満足する文書を抽出する文書抽出手段と、
前記抽出された文書のそれぞれに対して、当該文書に含まれるページのうちの、所定の重要条件を満足するページを重要ページとして特定する重要ページ特定手段と、
前記特定された重要ページを識別するためのページ識別情報と、当該重要ページを含む前記文書を識別するための文書識別情報と、を含む重要ページ特定情報を出力する重要ページ特定情報出力手段と、
を備える文書検索装置。
【請求項２】
請求項１に記載の文書検索装置であって、
前記ページ毎に、当該ページがユーザにより閲覧されていた時間である閲覧時間を取得する閲覧時間取得手段を備える文書検索装置。
【請求項３】
請求項２に記載の文書検索装置であって、
前記重要条件は、前記取得された閲覧時間が、閲覧時間の基準値である基準閲覧時間よりも長いという条件である文書検索装置。
【請求項４】
請求項３に記載の文書検索装置であって、
前記重要ページ特定手段は、前記抽出された文書に含まれるページのそれぞれに対して前記取得された閲覧時間の統計値に基づいて前記基準閲覧時間を決定するように構成された文書検索装置。
【請求項５】
請求項４に記載の文書検索装置であって、
前記重要ページ特定手段は、前記抽出された文書に含まれるページのそれぞれに対して前記取得された閲覧時間の平均値及び標準偏差の和を前記基準閲覧時間として決定するように構成された文書検索装置。
【請求項６】
請求項２乃至請求項５のいずれかに記載の文書検索装置であって、
前記取得された閲覧時間に基づいて、複数の前記重要ページ特定情報に順位を付与する順位付与手段を備え、
前記重要ページ特定情報出力手段は、前記複数の重要ページ特定情報を含むとともに、前記付与された順位を表す検索結果を出力するように構成された文書検索装置。
【請求項７】
請求項６に記載の文書検索装置であって、
前記順位付与手段は、前記取得された閲覧時間が長いページに対応する前記重要ページ特定情報ほど、より上位の順位を付与するように構成された文書検索装置。
【請求項８】
各々が複数のページを含む、複数の文書の中から、所定の検索条件を満足する文書を抽出し、
前記抽出された文書のそれぞれに対して、当該文書に含まれるページのうちの、所定の重要条件を満足するページを重要ページとして特定し、
前記特定された重要ページを識別するためのページ識別情報と、当該重要ページを含む前記文書を識別するための文書識別情報と、を含む重要ページ特定情報を出力する、文書検索方法。
【請求項９】
複数のページを含む文書をページ毎に表示するページ表示手段と、
前記ページが表示されていた時間を、ユーザが当該ページを閲覧していた閲覧時間として取得する閲覧時間取得手段と、
前記文書を識別するための文書識別情報と、当該文書に含まれる前記ページを識別するためのページ識別情報と、当該ページに対して前記取得された閲覧時間と、を文書検索装置へ送信する閲覧時間送信手段と、
を備える端末装置。
【請求項１０】
複数のページを含む文書をページ毎に表示し、
前記ページが表示されていた時間を、ユーザが当該ページを閲覧していた閲覧時間として取得し、
前記文書を識別するための文書識別情報と、前記ページを識別するためのページ識別情報と、当該ページに対して前記取得された閲覧時間と、を文書検索装置へ送信する、端末制御方法。
【発明の詳細な説明】
【技術分野】
【０００１】
本発明は、複数の文書の中から文書を抽出する文書検索装置に関する。
【背景技術】
【０００２】
複数の文書の中から文書を抽出する文書検索装置が知られている。この種の文書検索装置の一つとして特許文献１に記載の文書検索装置は、ユーザにより入力された検索条件を満足する文書を抽出し、抽出された文書を識別するための文書識別情報（例えば、ＵＲＩ等）を出力する。これによれば、ユーザは、ユーザにとって重要な情報を含む文書を特定することができる。
【先行技術文献】
【特許文献】
【０００３】
【特許文献１】特開２００７−２１９７２２号公報
【発明の概要】
【発明が解決しようとする課題】
【０００４】
ところで、文書は、複数のページを含むことが多い。このため、ユーザにとって重要な情報が、文書に含まれる複数のページのうちの一部のページにのみ含まれていることも多い。このような場合、ユーザは、文書に含まれる複数のページの中から、当該ユーザにとって重要な情報を含むページを探し出す必要があった。即ち、上記文書検索装置においては、ユーザが、ユーザにとって重要な情報を含むページを閲覧するために要する手間が煩雑であるという問題があった。
【０００５】
このため、本発明の目的は、上述した課題である「ユーザが、ユーザにとって重要な情報を含むページを閲覧するために要する手間が煩雑であること」を解決することが可能な文書検索装置を提供することにある。
【課題を解決するための手段】
【０００６】
かかる目的を達成するため本発明の一形態である文書検索装置は、
各々が複数のページを含む、複数の文書の中から、所定の検索条件を満足する文書を抽出する文書抽出手段と、
上記抽出された文書のそれぞれに対して、当該文書に含まれるページのうちの、所定の重要条件を満足するページを重要ページとして特定する重要ページ特定手段と、
上記特定された重要ページを識別するためのページ識別情報と、当該重要ページを含む上記文書を識別するための文書識別情報と、を含む重要ページ特定情報を出力する重要ページ特定情報出力手段と、
を備える。
【０００７】
また、本発明の他の形態である文書検索方法は、
各々が複数のページを含む、複数の文書の中から、所定の検索条件を満足する文書を抽出し、
上記抽出された文書のそれぞれに対して、当該文書に含まれるページのうちの、所定の重要条件を満足するページを重要ページとして特定し、
上記特定された重要ページを識別するためのページ識別情報と、当該重要ページを含む上記文書を識別するための文書識別情報と、を含む重要ページ特定情報を出力する方法である。
【０００８】
また、本発明の他の形態である文書検索プログラムは、
情報処理装置に、
各々が複数のページを含む、複数の文書の中から、所定の検索条件を満足する文書を抽出し、
上記抽出された文書のそれぞれに対して、当該文書に含まれるページのうちの、所定の重要条件を満足するページを重要ページとして特定し、
上記特定された重要ページを識別するためのページ識別情報と、当該重要ページを含む上記文書を識別するための文書識別情報と、を含む重要ページ特定情報を出力する、処理を実行させるためのプログラムである。
【０００９】
また、本発明の他の形態である端末装置は、
複数のページを含む文書をページ毎に表示するページ表示手段と、
上記ページが表示されていた時間を、ユーザが当該ページを閲覧していた閲覧時間として取得する閲覧時間取得手段と、
上記文書を識別するための文書識別情報と、当該文書に含まれる上記ページを識別するためのページ識別情報と、当該ページに対して上記取得された閲覧時間と、を文書検索装置へ送信する閲覧時間送信手段と、
を備える。
【００１０】
また、本発明の他の形態である端末制御方法は、
複数のページを含む文書をページ毎に表示し、
上記ページが表示されていた時間を、ユーザが当該ページを閲覧していた閲覧時間として取得し、
上記文書を識別するための文書識別情報と、上記ページを識別するためのページ識別情報と、当該ページに対して上記取得された閲覧時間と、を文書検索装置へ送信する方法である。
【００１１】
また、本発明の他の形態である端末制御プログラムは、
情報処理装置に、
複数のページを含む文書をページ毎に表示し、
上記ページが表示されていた時間を、ユーザが当該ページを閲覧していた閲覧時間として取得し、
上記文書を識別するための文書識別情報と、上記ページを識別するためのページ識別情報と、当該ページに対して上記取得された閲覧時間と、を文書検索装置へ送信する、処理を実行させるためのプログラムである。
【発明の効果】
【００１２】
本発明は、以上のように構成されることにより、ユーザが、文書に含まれるページのうちの、ユーザにとって重要な情報を含むページを容易に閲覧することができる。
【図面の簡単な説明】
【００１３】
【図１】本発明の第１実施形態に係る文書検索システムの機能の概略を表すブロック図である。
【図２】本発明の第１実施形態に係る文書検索装置が記憶するテーブルを表す図である。
【図３】本発明の第１実施形態に係る文書検索装置が実行する文書検索プログラムを示したフローチャートである。
【図４】本発明の第１実施形態に係る文書検索装置が実行する平均閲覧時間算出プログラムを示したフローチャートである。
【図５】本発明の第１実施形態に係る端末装置が実行する閲覧時間取得プログラムを示したフローチャートである。
【図６】本発明の第１実施形態の変形例に係る端末装置が出力する情報の一例を示した図である。
【図７】本発明の第２実施形態に係る文書検索装置の機能の概略を表すブロック図である。
【発明を実施するための形態】
【００１４】
以下、本発明に係る、文書検索装置、文書検索方法、文書検索プログラム、端末装置、端末制御方法、及び、端末制御プログラム、の各実施形態について図１〜図７を参照しながら説明する。
【００１５】
＜第１実施形態＞
（構成）
図１に示したように、第１実施形態に係る文書検索システム１は、端末装置１０と、文書検索装置２０と、を含む。端末装置１０、及び、文書検索装置２０は、図示しない通信回線（本例では、インターネット）を介して、互いに通信可能に接続されている。
【００１６】
端末装置１０は、情報処理装置（本例では、パーソナル・コンピュータ）である。なお、端末装置１０は、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、カーナビゲーション端末、又は、ゲーム端末等であってもよい。
【００１７】
端末装置１０は、図示しない中央処理装置（ＣＰＵ；Ｃｅｎｔｒａｌ  Ｐｒｏｃｅｓｓｉｎｇ  Ｕｎｉｔ）、記憶装置（メモリ、及び、ハードディスク駆動装置（ＨＤＤ；Ｈａｒｄ  Ｄｉｓｋ  Ｄｒｉｖｅ））、入力装置（キーボード、及び、マウス等）、及び、出力装置（ディスプレイ）を備える。端末装置１０は、記憶装置に記憶されているプログラムをＣＰＵが実行することにより、後述する機能を実現するように構成されている。
【００１８】
文書検索装置２０は、情報処理装置（本例では、サーバ装置）である。文書検索装置２０は、端末装置１０と同様に、図示しないＣＰＵ及び記憶装置を備える。文書検索装置２０は、端末装置１０と同様に、記憶装置に記憶されているプログラムをＣＰＵが実行することにより、後述する機能を実現するように構成されている。なお、文書検索装置２０は、互いに通信可能に構成された複数の情報処理装置により構成されていてもよい。
【００１９】
（機能）
図１は、上記のように構成された文書検索システム１の機能を表すブロック図である。
端末装置１０の機能は、検索条件送信部（検索条件送信手段）１１と、検索結果受信部（重要ページ特定情報受信手段）１２と、ページ表示部（ページ表示手段）１３と、閲覧時間取得部（閲覧時間取得手段）１４と、閲覧時間送信部（閲覧時間送信手段）１５と、を含む。
【００２０】
検索条件送信部１１は、ユーザにより入力された検索条件（を表す情報）を文書検索装置２０へ送信する。例えば、検索条件は、文書が特定の文字列（キーワード）を含む、という条件である。なお、検索条件は、文書が作成された日時が、特定の期間内である、という条件等であってもよい。文書は、文字、及び／又は、画像等を含む情報である。文書は、複数のページを含む。
【００２１】
検索結果受信部１２は、検索条件送信部１１により送信された検索条件に応じて文書検索装置２０により送信された検索結果を受信する。検索結果は、当該検索条件に基づいて特定された重要ページを識別するためのページ識別情報（本例では、ページ番号を表す整数）と、当該重要ページを含む文書を識別するための文書識別情報（本例では、文書の位置を表すＵＲＩ（Ｕｎｉｆｏｒｍ  Ｒｅｓｏｕｒｃｅ  Ｉｄｅｎｔｉｆｉｅｒ））と、を含む重要ページ特定情報を含む。
【００２２】
更に、検索結果は、複数の重要ページ特定情報に付与された順位を表す。本例では、検索結果は、当該検索結果において、より先頭側に配置された重要ページ特定情報ほど、より上位の順位が付与されていることを表す。
【００２３】
検索結果受信部１２は、受信された検索結果に含まれる重要ページ特定情報を、出力装置を介して出力する（本例では、ディスプレイに表示させる）。このとき、検索結果受信部１２は、検索結果において、より先頭側に配置された重要ページ特定情報ほど、ディスプレイ内のより上部に配置されるように、重要ページ特定情報を出力する。
【００２４】
ページ表示部１３は、検索結果受信部１２により出力されている重要ページ特定情報のうちの、ユーザにより選択された重要ページ特定情報を取得する。ページ表示部１３は、取得された重要ページ特定情報により特定されるページ（即ち、重要ページ特定情報に含まれる文書識別情報により識別される文書に含まれるページのうちの、当該重要ページ特定情報に含まれるページ識別情報により識別されるページ）を出力装置を介して表示する。
【００２５】
更に、ページ表示部１３は、ユーザにより入力される指示に応じて、表示されるページを変更する。即ち、ページ表示部１３は、文書をページ毎に表示する、と言うことができる。また、ページ表示部１３は、受信された重要ページ特定情報のうちの、ユーザにより選択された重要ページ特定情報に含まれる文書識別情報により識別される文書に含まれるページを表示する、と言うこともできる。
加えて、ページ表示部１３は、ユーザにより入力される指示に応じて、ページの表示を終了する。
【００２６】
閲覧時間取得部１４は、ページ表示部１３によりページが表示されていた時間を、ユーザが当該ページを閲覧していた閲覧時間として、ページ毎に取得する。
【００２７】
閲覧時間送信部１５は、ページ表示部１３によるページの表示が終了した場合、閲覧時間情報を文書検索装置２０へ送信する。閲覧時間情報は、選択された重要ページ特定情報に含まれる文書識別情報と、当該文書識別情報により識別される文書に含まれるページを識別するためのページ識別情報と、当該ページに対して閲覧時間取得部１４により取得された閲覧時間と、当該重要ページ特定情報を受信する基となった検索条件と、を含む。
【００２８】
文書検索装置２０の機能は、検索インデックス記憶部２１と、閲覧時間受信部（閲覧時間取得手段）２２と、閲覧時間記憶部（閲覧時間記憶手段）２３と、検索処理実行部２４と、を含む。
【００２９】
検索インデックス記憶部２１は、複数の文書から特定の文字列を含む文書を抽出するためのインデックスを予め記憶している。本例では、インデックスは、文字列と、当該文字列を含む文書を識別するための文書識別情報と、を対応付けた情報である。
【００３０】
閲覧時間受信部２２は、端末装置１０により送信された閲覧時間情報を受信することにより閲覧時間情報を取得する。即ち、閲覧時間受信部２２は、ページ、及び、検索条件の組み合わせ毎に、当該ページがユーザにより閲覧されていた時間である閲覧時間を取得する。更に、閲覧時間受信部２２は、ページ、及び、検索条件の組み合わせ毎に、取得された閲覧時間情報に含まれる閲覧時間の平均値（平均閲覧時間）を算出する。
【００３１】
閲覧時間記憶部２３は、閲覧時間受信部２２により算出された平均閲覧時間と、当該平均閲覧時間を算出する基となった閲覧時間情報に含まれる、検索条件、文書識別情報、及び、ページ識別情報と、を対応付けて記憶する。
【００３２】
具体的には、閲覧時間記憶部２３は、図２に示したように、平均閲覧時間、検索条件、文書識別情報、ページ識別情報、及び、当該ページ識別情報により識別されるページが閲覧された回数（閲覧回数）を含むレコードを含むテーブルを記憶している。
【００３３】
検索処理実行部２４は、文書抽出部（文書抽出手段）２４ａと、重要ページ特定部（重要ページ特定手段）２４ｂと、順位付与部（順位付与手段）２４ｃと、検索結果出力部（重要ページ特定情報出力手段）２４ｄと、を含む。
【００３４】
文書抽出部２４ａは、端末装置１０により送信された検索条件を受信することにより検索条件を取得する。文書抽出部２４ａは、検索インデックス記憶部２１に記憶されているインデックスに基づいて、複数の文書の中から、取得された検索条件を満足する文書を抽出する。本例では、文書抽出部２４ａは、複数の文書の中から、検索条件が表す文字列を含む文書を抽出する。
【００３５】
重要ページ特定部２４ｂは、文書抽出部２４ａにより抽出された文書のそれぞれに対して、当該文書に含まれるページのうちの、所定の重要条件を満足するページを重要ページとして特定する。
【００３６】
重要条件は、平均閲覧時間が、閲覧時間の基準値である基準閲覧時間よりも長いという条件である。本例では、重要ページ特定部２４ｂは、文書抽出部２４ａにより抽出された文書に含まれるページのそれぞれに対して取得された平均閲覧時間の平均値及び標準偏差の和を基準閲覧時間として決定する。即ち、重要ページ特定部２４ｂは、抽出された文書に含まれるページのそれぞれに対して取得された閲覧時間の統計値に基づいて基準閲覧時間を決定している、と言うことができる。
【００３７】
なお、本例では、重要ページ特定部２４ｂは、文書抽出部２４ａにより取得された検索条件（即ち、文書抽出部２４ａが文書を抽出するために用いる検索条件）と同一の検索条件と対応付けて、閲覧時間記憶部２３に記憶されている平均閲覧時間を用いることにより上記基準閲覧時間を決定する。
【００３８】
順位付与部２４ｃは、重要ページ特定部２４ｂにより特定された重要ページのそれぞれに対して、閲覧時間記憶部２３に記憶されている平均閲覧時間に基づいてスコア値を算出する。スコア値は、大きくなるほど、順位がより上位であることを表す値である。本例では、順位付与部２４ｃは、平均閲覧時間がより長いページに対して、より大きいスコア値を算出するように構成される。
【００３９】
なお、後述するように、検索結果出力部２４ｄは、重要ページ特定部２４ｂにより特定された重要ページのそれぞれを特定する重要ページ特定情報を出力する。即ち、順位付与部２４ｃは、複数の重要ページに順位を付与することにより、複数の重要ページに対応する複数の重要ページ特定情報に順位を付与している、と言うことができる。また、順位付与部２４ｃは、平均閲覧時間が長いページに対応する重要ページ特定情報ほど、より上位の順位を付与するように構成されている、と言うことができる。
【００４０】
検索結果出力部２４ｄは、複数の重要ページ特定情報を含むとともに、順位付与部２４ｃにより付与された順位を表す検索結果を出力する。各重要ページ特定情報は、重要ページ特定部２４ｂにより特定された重要ページを識別するためのページ識別情報と、当該重要ページを含む文書を識別するための文書識別情報と、を含む。
【００４１】
（作動）
次に、上述した文書検索システム１の作動について説明する。
文書検索システム１の作動は、第１の作動、第２の作動、及び、第３の作動を含む。
第１の作動は、ユーザが端末装置１０に入力した検索条件に基づいて、文書検索装置２０が検索結果を送信する作動である。
第２の作動は、端末装置１０により送信された閲覧時間情報に基づいて、文書検索装置２０が、記憶している平均閲覧時間を更新する作動である。
第３の作動は、端末装置１０が閲覧時間を取得し、取得した閲覧時間を文書検索装置２０へ送信する作動である。
【００４２】
先ず、第１の作動について説明する。
文書検索装置２０は、図３にフローチャートにより示した文書検索プログラムを実行するようになっている。
【００４３】
具体的に述べると、文書検索装置２０は、文書検索プログラムの処理を開始すると、端末装置１０から検索条件を受信するまで待機する（ステップＳ１０１）。その後、ユーザが端末装置１０に検索条件を入力することにより、端末装置１０は、入力された検索条件を文書検索装置２０へ送信する。
【００４４】
これにより、文書検索装置２０は、端末装置１０から検索条件を受信する。従って、文書検索装置２０は、「Ｙｅｓ」と判定してステップＳ１０２へ進み、受信された検索条件に基づいて、複数の文書の中から、当該検索条件を満足する文書を抽出する。
【００４５】
次いで、文書検索装置２０は、抽出された文書のそれぞれを１つずつ順に処理対象とするループ処理（ステップＳ１０３〜ステップＳ１０５）を実行する。
ループ処理において、文書検索装置２０は、閲覧時間記憶部２３に記憶されているレコードのうちの、処理対象となる文書を識別するための文書識別情報、及び、上記受信された検索条件を含むレコードをバッファに格納する（ステップＳ１０４）。
【００４６】
そして、文書検索装置２０は、抽出された文書のすべてに対して、上記ループ処理（ステップＳ１０３〜ステップＳ１０５）を実行した後、ステップＳ１０６へ進む。次いで、文書検索装置２０は、バッファにレコードが存在する（少なくとも１つのレコードがバッファに格納されている）か否かを判定する。
【００４７】
バッファにレコードが存在しない場合、文書検索装置２０は、「Ｎｏ」と判定してステップＳ１０１へ戻る。
いま、バッファにレコードが存在する場合を想定する。この場合、文書検索装置２０は、「Ｙｅｓ」と判定してステップＳ１０７へ進む。そして、文書検索装置２０は、バッファに格納されているレコードに基づいて基準閲覧時間を算出する。
【００４８】
具体的には、文書検索装置２０は、数式１に基づいて平均閲覧時間の平均値μを算出する。ここで、Ｍは、バッファに格納されているレコードの数（総数）であり、Ｇｊは、バッファに格納されているｊ番目のレコードに含まれる平均閲覧時間である。
【数１】
2012141905.tif 000003
【００４９】
更に、文書検索装置２０は、数式２に基づいて平均閲覧時間の標準偏差σを算出する。
【数２】
2012141905.tif 000004
【００５０】
そして、文書検索装置２０は、平均閲覧時間の平均値μと、平均閲覧時間の標準偏差σと、の和を基準閲覧時間として算出する。
【００５１】
次いで、文書検索装置２０は、バッファに格納されたレコードのそれぞれを１つずつ順に処理対象とするループ処理（ステップＳ１０８〜ステップＳ１１１）を実行する。
ループ処理において、先ず、文書検索装置２０は、処理対象となるレコードに含まれる平均閲覧時間が、上記算出された基準閲覧時間よりも長い（即ち、重要条件を満足する）か否かを判定する（ステップＳ１０９）。
【００５２】
平均閲覧時間が基準閲覧時間よりも長い場合、文書検索装置２０は、処理対象となるレコードにより特定されるページ（即ち、当該レコードに含まれる文書識別情報により識別される文書に含まれるページのうちの、当該レコードに含まれるページ識別情報により識別されるページ）を重要ページとして特定する（ステップＳ１１０）。そして、文書検索装置２０は、ステップＳ１１１へ進む。
【００５３】
一方、平均閲覧時間が基準閲覧時間以下である場合、文書検索装置２０は、処理対象となるレコードにより特定されるページを重要ページとして特定することなく、ステップＳ１１１へ進む。
【００５４】
そして、文書検索装置２０は、バッファに格納されたレコードのすべてに対して、上記ループ処理（ステップＳ１０８〜ステップＳ１１１）を実行した後、ステップＳ１１２へ進む。
【００５５】
次いで、文書検索装置２０は、数式３に基づいて、重要ページとして特定されたページのそれぞれに対するスコア値Ｓ（Ｑ，Ｕ，Ｐ）を算出する。ここで、Ｑは、検索条件を表す変数であり、Ｕは、文書識別情報を表す変数であり、Ｐは、ページ識別情報を表す変数である。
【数３】
2012141905.tif 000005
【００５６】
なお、Ｆ（Ｑ，Ｕ）は、検索条件Ｑ、及び、文書識別情報Ｕの組み合わせに対する基本スコア値である。基本スコア値は、周知の方法により算出される。また、Ｅ（Ｑ，Ｕ，Ｐ）は、検索条件Ｑ、文書識別情報Ｕ、及び、ページ識別情報Ｐの組み合わせに対する補正スコア値である。本例では、文書検索装置２０は、数式４に基づいて補正スコア値を算出する。
【数４】
2012141905.tif 000006
【００５７】
なお、Ａは、予め設定された重み値（係数）であり、Ｔは、当該レコード（即ち、検索条件Ｑ、文書識別情報Ｕ、及び、ページ識別情報Ｐを含むレコード）に含まれる平均閲覧時間である。
【００５８】
なお、文書検索装置２０は、スコア値Ｓ（Ｑ，Ｕ，Ｐ）として、基本スコア値Ｆ（Ｑ，Ｕ）のみを用いてもよいし、補正スコア値Ｅ（Ｑ，Ｕ，Ｐ）のみを用いてもよい。また、文書検索装置２０は、平均閲覧時間に加えて、閲覧回数にも基づいて、補正スコア値Ｅ（Ｑ，Ｕ，Ｐ）を算出するように構成されていてもよい。
【００５９】
その後、文書検索装置２０は、重要ページとして特定されたページのそれぞれに対して、当該ページを識別するためのページ識別情報と、当該ページを含む文書を識別するための文書識別情報と、を含む重要ページ特定情報を取得する。
【００６０】
そして、文書検索装置２０は、取得された複数の重要ページ特定情報を含む検索結果を生成する。このとき、文書検索装置２０は、重要ページ特定情報に対応するページに対して算出されたスコア値がより高くなるほど、検索結果において、より先頭側に当該重要ページ特定情報を配置する。
【００６１】
そして、文書検索装置２０は、生成された検索結果を、検索条件を送信してきた端末装置１０へ送信する（ステップＳ１１３）。その後、文書検索装置２０は、ステップＳ１０１へ戻り、ステップＳ１０１〜ステップＳ１１３の処理を繰り返し実行する。
【００６２】
一方、端末装置１０は、文書検索装置２０により送信された検索結果を受信する。そして、端末装置１０は、受信された検索結果に含まれる重要ページ特定情報をディスプレイに表示させる。このとき、端末装置１０は、検索結果において、より先頭側に配置された重要ページ特定情報ほど、ディスプレイ内のより上部に配置されるように、重要ページ特定情報を出力する。
【００６３】
そして、ユーザは、端末装置１０に表示されている重要ページ特定情報の中から、１つの重要ページ特定情報を選択する旨を表す情報を端末装置１０に入力する。これにより、端末装置１０は、表示されている重要ページ特定情報のうちの、ユーザにより選択された重要ページ特定情報を取得する。
【００６４】
その後、端末装置１０は、取得された重要ページ特定情報により特定されるページをディスプレイに表示させる。
【００６５】
次に、第２の作動について説明する。
文書検索装置２０は、図４にフローチャートにより示した平均閲覧時間更新プログラムを、予め設定された更新周期が経過する毎に実行するようになっている。
【００６６】
具体的に述べると、文書検索装置２０は、平均閲覧時間更新プログラムの処理を開始すると、前回、平均閲覧時間更新プログラムを実行した時点から、現時点までの間に、端末装置１０から受信した閲覧時間情報のそれぞれを１つずつ順に処理対象とするループ処理（ステップＳ２０１〜ステップＳ２０６）を実行する。
【００６７】
ループ処理において、先ず、文書検索装置２０は、閲覧時間記憶部２３が記憶しているレコードの中に、処理対象となる閲覧時間情報に含まれる、文書識別情報、ページ識別情報、及び、検索条件を含むレコードが存在するか否かを判定する（ステップＳ２０２）。
【００６８】
当該レコードが存在しない場合、文書検索装置２０は、「Ｎｏ」と判定してステップＳ２０５へ進み、処理対象となる閲覧時間情報に含まれる、文書識別情報、ページ識別情報、及び、検索条件と、平均閲覧時間としての、当該閲覧時間情報に含まれる閲覧時間と、閲覧回数としての１と、を含むレコードを、閲覧時間記憶部２３が記憶しているテーブルに追加する（閲覧時間記憶部２３が当該レコードを新たに記憶する）。
【００６９】
一方、閲覧時間記憶部２３が記憶しているレコードの中に、処理対象となる閲覧時間情報に含まれる、文書識別情報、ページ識別情報、及び、検索条件を含むレコードが存在する場合、文書検索装置２０は、「Ｙｅｓ」と判定してステップＳ２０３へ進む。
【００７０】
そして、文書検索装置２０は、閲覧時間記憶部２３に記憶されている上記レコードに含まれる平均閲覧時間Ｔを、数式５に基づいて算出される値Ｔ’に更新する。ここで、Ｎは、閲覧時間記憶部２３に記憶されている上記レコードに含まれる閲覧回数であり、Ｌは、処理対象となる閲覧時間情報に含まれる閲覧時間である。
【数５】
2012141905.tif 000007
【００７１】
次いで、文書検索装置２０は、閲覧時間記憶部２３に記憶されている上記レコードに含まれる閲覧回数Ｎを、閲覧回数Ｎに１を加算することにより更新する。
【００７２】
そして、文書検索装置２０は、上記受信した閲覧時間情報のすべてに対して、上記ループ処理（ステップＳ２０１〜ステップＳ２０６）を実行した後、この平均閲覧時間更新プログラムの処理を終了する。
【００７３】
次に、第３の作動について説明する。
端末装置１０は、図５にフローチャートにより示した閲覧時間取得プログラムを実行するようになっている。
【００７４】
具体的に述べると、端末装置１０は、表示されている重要ページ特定情報のうちの、ユーザにより選択された重要ページ特定情報を取得すると、閲覧時間取得プログラムの処理を開始する。そして、端末装置１０は、文書（本例では、重要ページ特定情報により特定されるページ）の表示が開始するまで待機する（ステップＳ３０１）。
【００７５】
次いで、文書の表示が開始すると、端末装置１０は、ステップＳ３０２へ進み、現時点にて表示されているページ（本例では、重要ページ特定情報により特定されるページ）を識別するためのページ識別情報を第１の変数Ｐｂに格納する。
【００７６】
そして、端末装置１０は、予め設定された待機時間Ｈだけ待機する（ステップＳ３０３）。その後、端末装置１０は、文書の表示が終了したか否かを判定する（ステップＳ３０４）。いま、文書の表示が終了していない場合を想定する。この場合、端末装置１０は、「Ｎｏ」と判定してステップＳ３０５へ進み、現時点にて表示されているページを識別するためのページ識別情報を第２の変数Ｐｎに格納する。
【００７７】
次いで、端末装置１０は、第１の変数Ｐｂと、第２の変数Ｐｎと、が一致しているか否かを判定する（ステップＳ３０６）。
【００７８】
第１の変数Ｐｂと、第２の変数Ｐｎと、が一致している場合、端末装置１０は、「Ｙｅｓ」と判定してステップＳ３０７へ進み、第２の変数Ｐｎと同一のページ識別情報と対応付けて記憶されている閲覧時間に上記待機時間Ｈを加算する。なお、端末装置１０は、当該ページ識別情報と対応付けて記憶されている閲覧時間が存在しない場合、当該ページ識別情報と対応付けて、上記待機時間Ｈを閲覧時間として新たに記憶する。
そして、端末装置１０は、ステップＳ３０２へ戻る。
【００７９】
一方、第１の変数Ｐｂと、第２の変数Ｐｎと、が一致していない場合、端末装置１０は、「Ｎｏ」と判定してステップＳ３０８へ進み、ページ移動量Ｗとして、第１の変数Ｐｂと、第２の変数Ｐｎと、の差の大きさを算出する。
【００８０】
次いで、端末装置１０は、第１の変数Ｐｂから第２の変数Ｐｎまでのページ識別情報のそれぞれと対応付けて記憶されている閲覧時間に、上記待機時間Ｈをページ移動量Ｗにより除した値Ｈ／Ｗを加算する。
【００８１】
例えば、第１の変数Ｐｂが３であり、第２の変数Ｐｎが５である場合、ページ識別情報としての、３、４、及び、５のそれぞれと対応付けられた閲覧時間に値Ｈ／Ｗを加算する。また、第１の変数Ｐｂが７であり、第２の変数Ｐｎが５である場合、ページ識別情報としての、５、６、及び、７のそれぞれと対応付けられた閲覧時間に値Ｈ／Ｗを加算する。
そして、端末装置１０は、ステップＳ３０２へ戻る。
【００８２】
その後、ユーザにより入力された指示に応じて、端末装置１０が文書の表示を終了すると、端末装置１０は、ステップＳ３０４に進んだとき、「Ｙｅｓ」と判定してステップＳ３１０へ進む。
【００８３】
そして、端末装置１０は、記憶されている閲覧時間のそれぞれに対して、当該閲覧時間と、当該閲覧時間と対応付けられたページ識別情報と、上記表示していた文書を識別するための文書識別情報と、当該文書が表示される基となった検索条件と、を含む閲覧時間情報を文書検索装置２０へ送信する。その後、端末装置１０は、ステップＳ３０１へ戻り、ステップＳ３０１〜ステップＳ３１０の処理を繰り返し実行する。
【００８４】
以上、説明したように、本発明の第１実施形態に係る文書検索装置２０は、抽出された文書のそれぞれに対して、当該文書に含まれるページのうちの、所定の重要条件を満足するページを重要ページとして特定する。更に、文書検索装置２０は、特定された重要ページを識別するためのページ識別情報と、当該重要ページを含む前記文書を識別するための文書識別情報と、を含む重要ページ特定情報を出力する。
【００８５】
これによれば、ユーザにとって重要な情報を含むページ（重要ページ）をユーザに知らせることができる。この結果、ユーザが、文書に含まれるページのうちの、ユーザにとって重要な情報を含むページを容易に閲覧することができる。
【００８６】
更に、第１実施形態に係る文書検索装置２０において、重要条件は、取得された閲覧時間が基準閲覧時間よりも長いという条件である。
【００８７】
ところで、ユーザにとって重要な情報を含むページほど、ユーザが当該ページを閲覧する時間（閲覧時間）が長くなる。従って、上記構成によれば、ユーザにとって重要な情報を含むページを、より一層確実にユーザに知らせることができる。
【００８８】
加えて、第１実施形態に係る文書検索装置２０は、抽出された文書に含まれるページのそれぞれに対して、取得された閲覧時間の統計値に基づいて基準閲覧時間を決定する。
【００８９】
これによれば、基準閲覧時間を適切に決定することができる。この結果、ユーザにとって重要な情報を含むページを、より一層確実にユーザに知らせることができる。
【００９０】
更に、第１実施形態に係る文書検索装置２０は、取得された閲覧時間に基づいて、複数の重要ページ特定情報に順位を付与する。そして、文書検索装置２０は、複数の重要ページ特定情報を含むとともに、付与された順位を表す検索結果を出力する。
【００９１】
これによれば、閲覧時間に基づいて順位が付与されるので、ユーザにとって重要な情報を含むページを、より一層確実にユーザに知らせることができる。
更に、重要ページとして特定されたページについてのみ順位が付与される。この結果、すべてのページに対して順位が付与される場合と比較して、順位の付与を行うための処理負荷を軽減することができる。
【００９２】
加えて、第１実施形態に係る文書検索装置２０は、検索条件と、文書識別情報と、ページ識別情報と、閲覧時間と、を対応付けて記憶する。そして、文書検索装置２０は、文書を抽出するために用いる検索条件と同一の検索条件と対応付けて記憶されている閲覧時間を用いることにより、重要ページを特定する。
【００９３】
ところで、検索条件が変化すると、当該検索条件を入力したユーザにとって重要である情報も変化していることが多い。従って、上記のように文書検索装置２０を構成することにより、ユーザにとって重要な情報を含むページを、より一層確実にユーザに知らせることができる。
【００９４】
なお、第１実施形態の変形例において、端末装置１０は、カメラを備え、カメラにより取得された画像に基づいてユーザがページを閲覧しているか否かを判定し、その判定結果にも基づいて閲覧時間を取得するように構成されていてもよい。これによれば、例えば、ユーザがディスプレイの近傍に位置していない時間を閲覧時間から除外することができる。即ち、ユーザがページを閲覧している時間を高い精度にて取得することができる。
【００９５】
また、第１実施形態の他の変形例において、文書検索装置２０は、閲覧時間記憶部２３が記憶しているレコードの最終更新日時を記憶するように構成されていてもよい。この場合、文書検索装置２０は、最終更新日時が新しいページに対応する重要ページ特定情報ほど、より上位の順位を付与するように構成されていることが好適である。
【００９６】
また、文書検索装置２０は、最終更新日時に基づいて、出力する重要ページ特定情報をフィルタ処理する（例えば、最終更新日時が所定の期間内である重要ページ特定情報のみを出力する）ように構成されていてもよい。
【００９７】
また、第１実施形態の他の変形例において、文書検索装置２０は、閲覧時間記憶部２３が記憶しているレコードに、当該レコードに含まれるページ識別情報により識別されるページの閲覧を許可するユーザを特定するためのアクセス権限情報を含ませるように構成されていてもよい。
【００９８】
この場合、文書検索装置２０は、検索条件を入力したユーザを特定するアクセス権限情報を含むレコードに対応する重要ページ特定情報のみを出力するように構成されることが好適である。これによれば、ユーザが閲覧可能なページに対応する重要ページ特定情報のみが出力される。
【００９９】
また、第１実施形態の他の変形例において、文書検索装置２０は、重要ページ特定情報に含まれる文書識別情報により識別される文書の版が最新版でない場合、当該重要ページ特定情報と併せて、最新版の文書を識別するための文書識別情報を出力するように構成されていてもよい。これにより、例えば、端末装置１０は、図６に示したように、重要ページ特定情報とともに、最新版の文書の閲覧を誘導するための情報を出力する。
【０１００】
＜第２実施形態＞
次に、本発明の第２実施形態に係る文書検索装置について図７を参照しながら説明する。
第２実施形態に係る文書検索装置１００は、
各々が複数のページを含む、複数の文書の中から、所定の検索条件を満足する文書を抽出する文書抽出部（文書抽出手段）１０１と、
上記抽出された文書のそれぞれに対して、当該文書に含まれるページのうちの、所定の重要条件を満足するページを重要ページとして特定する重要ページ特定部（重要ページ特定手段）１０２と、
上記特定された重要ページを識別するためのページ識別情報と、当該重要ページを含む上記文書を識別するための文書識別情報と、を含む重要ページ特定情報を出力する重要ページ特定情報出力部（重要ページ特定情報出力手段）１０３と、
を備える。
【０１０１】
これによれば、ユーザにとって重要な情報を含むページ（重要ページ）をユーザに知らせることができる。この結果、ユーザが、文書に含まれるページのうちの、ユーザにとって重要な情報を含むページを容易に閲覧することができる。
【０１０２】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１０３】
なお、上記各実施形態において、端末装置、及び、文書検索装置の各機能は、ＣＰＵがプログラム（ソフトウェア）を実行することにより実現されていたが、回路等のハードウェアにより実現されていてもよい。
【０１０４】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１０５】
また、上記実施形態の他の変形例として、上述した実施形態及び変形例の任意の組み合わせが採用されてもよい。
【０１０６】
＜付記＞
上記実施形態の一部又は全部は、以下の付記のように記載され得るが、以下には限られない。
【０１０７】
（付記１）
各々が複数のページを含む、複数の文書の中から、所定の検索条件を満足する文書を抽出する文書抽出手段と、
前記抽出された文書のそれぞれに対して、当該文書に含まれるページのうちの、所定の重要条件を満足するページを重要ページとして特定する重要ページ特定手段と、
前記特定された重要ページを識別するためのページ識別情報と、当該重要ページを含む前記文書を識別するための文書識別情報と、を含む重要ページ特定情報を出力する重要ページ特定情報出力手段と、
を備える文書検索装置。
【０１０８】
これによれば、ユーザにとって重要な情報を含むページ（重要ページ）をユーザに知らせることができる。この結果、ユーザが、文書に含まれるページのうちの、ユーザにとって重要な情報を含むページを容易に閲覧することができる。
【０１０９】
（付記２）
付記１に記載の文書検索装置であって、
前記ページ毎に、当該ページがユーザにより閲覧されていた時間である閲覧時間を取得する閲覧時間取得手段を備える文書検索装置。
【０１１０】
（付記３）
付記２に記載の文書検索装置であって、
前記重要条件は、前記取得された閲覧時間が、閲覧時間の基準値である基準閲覧時間よりも長いという条件である文書検索装置。
【０１１１】
ところで、ユーザにとって重要な情報を含むページほど、ユーザが当該ページを閲覧する時間（閲覧時間）が長くなる。従って、上記構成によれば、ユーザにとって重要な情報を含むページを、より一層確実にユーザに知らせることができる。
【０１１２】
（付記４）
付記３に記載の文書検索装置であって、
前記重要ページ特定手段は、前記抽出された文書に含まれるページのそれぞれに対して前記取得された閲覧時間の統計値に基づいて前記基準閲覧時間を決定するように構成された文書検索装置。
【０１１３】
これによれば、基準閲覧時間を適切に決定することができる。この結果、ユーザにとって重要な情報を含むページを、より一層確実にユーザに知らせることができる。
【０１１４】
（付記５）
付記４に記載の文書検索装置であって、
前記重要ページ特定手段は、前記抽出された文書に含まれるページのそれぞれに対して前記取得された閲覧時間の平均値及び標準偏差の和を前記基準閲覧時間として決定するように構成された文書検索装置。
【０１１５】
（付記６）
付記２乃至付記５のいずれかに記載の文書検索装置であって、
前記取得された閲覧時間に基づいて、複数の前記重要ページ特定情報に順位を付与する順位付与手段を備え、
前記重要ページ特定情報出力手段は、前記複数の重要ページ特定情報を含むとともに、前記付与された順位を表す検索結果を出力するように構成された文書検索装置。
【０１１６】
これによれば、閲覧時間に基づいて順位が付与されるので、ユーザにとって重要な情報を含むページを、より一層確実にユーザに知らせることができる。
更に、重要ページとして特定されたページについてのみ順位が付与される。この結果、すべてのページに対して順位が付与される場合と比較して、順位の付与を行うための処理負荷を軽減することができる。
【０１１７】
（付記７）
付記６に記載の文書検索装置であって、
前記順位付与手段は、前記取得された閲覧時間が長いページに対応する前記重要ページ特定情報ほど、より上位の順位を付与するように構成された文書検索装置。
【０１１８】
（付記８）
付記２乃至付記７のいずれかに記載の文書検索装置であって、
前記文書識別情報と、前記ページ識別情報と、前記閲覧時間と、を対応付けて記憶する閲覧時間記憶手段を備える文書検索装置。
【０１１９】
（付記９）
付記８に記載の文書検索装置であって、
前記閲覧時間取得手段は、前記検索条件毎に、前記閲覧時間を取得するように構成され、
前記閲覧時間記憶手段は、前記検索条件と、前記文書識別情報と、前記ページ識別情報と、前記閲覧時間と、を対応付けて記憶するように構成され、
前記重要ページ特定手段は、前記文書を抽出するために用いる前記検索条件と同一の検索条件と対応付けて記憶されている閲覧時間を用いることにより、前記重要ページを特定するように構成された文書検索装置。
【０１２０】
ところで、検索条件が変化すると、当該検索条件を入力したユーザにとって重要である情報も変化していることが多い。従って、上記のように文書検索装置を構成することにより、ユーザにとって重要な情報を含むページを、より一層確実にユーザに知らせることができる。
【０１２１】
（付記１０）
各々が複数のページを含む、複数の文書の中から、所定の検索条件を満足する文書を抽出し、
前記抽出された文書のそれぞれに対して、当該文書に含まれるページのうちの、所定の重要条件を満足するページを重要ページとして特定し、
前記特定された重要ページを識別するためのページ識別情報と、当該重要ページを含む前記文書を識別するための文書識別情報と、を含む重要ページ特定情報を出力する、文書検索方法。
【０１２２】
（付記１１）
付記１０に記載の文書検索方法であって、
前記ページ毎に、当該ページがユーザにより閲覧されていた時間である閲覧時間を取得する、文書検索方法。
【０１２３】
（付記１２）
付記１１に記載の文書検索方法であって、
前記重要条件は、前記取得された閲覧時間が、閲覧時間の基準値である基準閲覧時間よりも長いという条件である文書検索方法。
【０１２４】
（付記１３）
付記１１又は付記１２に記載の文書検索方法であって、
前記取得された閲覧時間に基づいて、複数の前記重要ページ特定情報に順位を付与し、
前記複数の重要ページ特定情報を含むとともに、前記付与された順位を表す検索結果を出力する、文書検索方法。
【０１２５】
（付記１４）
情報処理装置に、
各々が複数のページを含む、複数の文書の中から、所定の検索条件を満足する文書を抽出し、
前記抽出された文書のそれぞれに対して、当該文書に含まれるページのうちの、所定の重要条件を満足するページを重要ページとして特定し、
前記特定された重要ページを識別するためのページ識別情報と、当該重要ページを含む前記文書を識別するための文書識別情報と、を含む重要ページ特定情報を出力する、処理を実行させるための文書検索プログラム。
【０１２６】
（付記１５）
付記１４に記載の文書検索プログラムであって、
前記情報処理装置に、
前記ページ毎に、当該ページがユーザにより閲覧されていた時間である閲覧時間を取得する、処理を実行させるための文書検索プログラム。
【０１２７】
（付記１６）
付記１５に記載の文書検索プログラムであって、
前記重要条件は、前記取得された閲覧時間が、閲覧時間の基準値である基準閲覧時間よりも長いという条件である文書検索プログラム。
【０１２８】
（付記１７）
付記１５又は付記１６に記載の文書検索プログラムであって、
前記情報処理装置に、
前記取得された閲覧時間に基づいて、複数の前記重要ページ特定情報に順位を付与し、
前記複数の重要ページ特定情報を含むとともに、前記付与された順位を表す検索結果を出力する、処理を実行させるための文書検索プログラム。
【０１２９】
（付記１８）
複数のページを含む文書をページ毎に表示するページ表示手段と、
前記ページが表示されていた時間を、ユーザが当該ページを閲覧していた閲覧時間として取得する閲覧時間取得手段と、
前記文書を識別するための文書識別情報と、当該文書に含まれる前記ページを識別するためのページ識別情報と、当該ページに対して前記取得された閲覧時間と、を文書検索装置へ送信する閲覧時間送信手段と、
を備える端末装置。
【０１３０】
（付記１９）
付記１８に記載の端末装置であって、
ユーザにより入力された検索条件を前記文書検索装置へ送信する検索条件送信手段と、
前記文書検索装置により、前記検索条件に応じて送信され、且つ、当該検索条件に基づいて特定された重要ページを識別するためのページ識別情報と、当該重要ページを含む前記文書を識別するための文書識別情報と、を含む重要ページ特定情報を受信する重要ページ特定情報受信手段と、
を備え、
前記ページ表示手段は、前記受信された重要ページ特定情報のうちの、ユーザにより選択された重要ページ特定情報に含まれる文書識別情報により識別される前記文書に含まれるページを表示するように構成され、
前記閲覧時間送信手段は、前記選択された重要ページ特定情報に含まれる文書識別情報と、当該文書識別情報により識別される前記文書に含まれる前記ページを識別するためのページ識別情報と、当該ページに対して前記取得された閲覧時間と、当該重要ページ特定情報を受信する基となった前記検索条件と、を前記文書検索装置へ送信するように構成された端末装置。
【０１３１】
（付記２０）
複数のページを含む文書をページ毎に表示し、
前記ページが表示されていた時間を、ユーザが当該ページを閲覧していた閲覧時間として取得し、
前記文書を識別するための文書識別情報と、前記ページを識別するためのページ識別情報と、当該ページに対して前記取得された閲覧時間と、を文書検索装置へ送信する、端末制御方法。
【０１３２】
（付記２１）
付記２０に記載の端末制御方法であって、
ユーザにより入力された検索条件を前記文書検索装置へ送信し、
前記文書検索装置により、前記検索条件に応じて送信され、且つ、当該検索条件に基づいて特定された重要ページを識別するためのページ識別情報と、当該重要ページを含む前記文書を識別するための文書識別情報と、を含む重要ページ特定情報を受信し、
前記受信された重要ページ特定情報のうちの、ユーザにより選択された重要ページ特定情報に含まれる文書識別情報により識別される前記文書に含まれるページを表示し、
前記選択された重要ページ特定情報に含まれる文書識別情報と、当該文書識別情報により識別される前記文書に含まれる前記ページを識別するためのページ識別情報と、当該ページに対して前記取得された閲覧時間と、当該重要ページ特定情報を受信する基となった前記検索条件と、を前記文書検索装置へ送信する、端末制御方法。
【０１３３】
（付記２２）
情報処理装置に、
複数のページを含む文書をページ毎に表示し、
前記ページが表示されていた時間を、ユーザが当該ページを閲覧していた閲覧時間として取得し、
前記文書を識別するための文書識別情報と、前記ページを識別するためのページ識別情報と、当該ページに対して前記取得された閲覧時間と、を文書検索装置へ送信する、処理を実行させるための端末制御プログラム。
【０１３４】
（付記２３）
付記２２に記載の端末制御プログラムであって、
前記情報処理装置に、
ユーザにより入力された検索条件を前記文書検索装置へ送信し、
前記文書検索装置により、前記検索条件に応じて送信され、且つ、当該検索条件に基づいて特定された重要ページを識別するためのページ識別情報と、当該重要ページを含む前記文書を識別するための文書識別情報と、を含む重要ページ特定情報を受信し、
前記受信された重要ページ特定情報のうちの、ユーザにより選択された重要ページ特定情報に含まれる文書識別情報により識別される前記文書に含まれるページを表示し、
前記選択された重要ページ特定情報に含まれる文書識別情報と、当該文書識別情報により識別される前記文書に含まれる前記ページを識別するためのページ識別情報と、当該ページに対して前記取得された閲覧時間と、当該重要ページ特定情報を受信する基となった前記検索条件と、を前記文書検索装置へ送信する、処理を実行させるための端末制御プログラム。
【産業上の利用可能性】
【０１３５】
本発明は、複数の文書の中から文書を抽出する文書検索装置等に適用可能である。
【符号の説明】
【０１３６】
１      文書検索システム
１０    端末装置
１１    検索条件送信部
１２    検索結果受信部
１３    ページ表示部
１４    閲覧時間取得部
１５    閲覧時間送信部
２０    文書検索装置
２１    検索インデックス記憶部
２２    閲覧時間受信部
２３    閲覧時間記憶部
２４    検索処理実行部
２４ａ  文書抽出部
２４ｂ  重要ページ特定部
２４ｃ  順位付与部
２４ｄ  検索結果出力部
１００  文書検索装置
１０１  文書抽出部
１０２  重要ページ特定部
１０３  重要ページ特定情報出力部
【図１】
2012141905.tif 000008
【図２】
2012141905.tif 000009
【図３】
2012141905.tif 000010
【図４】
2012141905.tif 000011
【図５】
2012141905.tif 000012
【図６】
2012141905.tif 000013
【図７】
2012141905.tif 000014